(57)【要約】【課題】短絡発生時に電源回路の出力側に接続される負荷への電力供給を確実に停止させることが可能な電源回路を提供する。【解決手段】この電源回路１０は、トランス１と、トランス１の２次側の電圧（Ｖ１）が入力され、第１電圧（Ｖ２）を出力するレギュレータ４と、レギュレータ４の出力側に直列に接続され、第２電圧（Ｖ３）を出力するレギュレータ５と、レギュレータ４から出力される第１電圧（Ｖ２）が第１しきい値以上の過電圧になったことに基づいて、レギュレータ５の出力短絡時にレギュレータ４からの第１電圧（Ｖ２）の出力を停止させる制御を行う制御部７とを備える。【選択図】図１
2014003776.tif 000002
【特許請求の範囲】
【請求項１】
トランスと、
前記トランスの２次側の電圧が入力され、第１電圧を出力する第１電圧出力部と、
前記第１電圧出力部の出力側に直列に接続され、第２電圧を出力する第２電圧出力部と、
前記第１電圧出力部から出力される前記第１電圧が第１しきい値以上の過電圧になったことに基づいて、前記第２電圧出力部の出力短絡時に前記第１電圧出力部からの前記第１電圧の出力を停止させる制御を行う制御部とを備える、電源回路。
【請求項２】
前記第１電圧出力部は、前記第２電圧出力部の出力に接続されるフィードバック端子を含み、前記フィードバック端子を介して入力されるフィードバック電圧に基づいて前記第１電圧の出力を調整するように構成されており、
前記制御部は、前記第２電圧出力部の出力短絡時に前記フィードバック端子を介して前記第１電圧出力部に入力されるフィードバック電圧が第２しきい値以下になることによって前記第１電圧出力部から出力される前記第１電圧が前記第１しきい値以上の過電圧になったことに基づいて、前記第１電圧出力部からの前記第１電圧の出力を停止させるように構成されている、請求項１に記載の電源回路。
【請求項３】
前記フィードバック端子は、前記第１電圧出力部の出力にも接続されており、
前記第１電圧出力部は、前記第２電圧出力部の出力短絡時以外の通常時には、前記第１電圧出力部から出力される前記第１電圧に基づく前記フィードバック電圧に基づいて、前記第１電圧の出力を調整するように構成されている、請求項２に記載の電源回路。
【請求項４】
前記第１電圧出力部の前記フィードバック端子と前記第２電圧出力部の出力との間に設けられるダイオードをさらに備え、
前記ダイオードは、アノード側が前記第１電圧出力部の前記フィードバック端子に接続されているとともに、カソード側が前記第２電圧出力部の出力に接続されている、請求項２または３に記載の電源回路。
【請求項５】
前記制御部は、前記第２電圧出力部の出力短絡時に、所定の停止信号を前記第１電圧出力部に出力することにより、前記第１電圧出力部からの前記第１電圧の出力を停止させるように構成されている、請求項１〜４のいずれか１項に記載の電源回路。
【請求項６】
前記制御部は、前記電源回路を有する電子機器の制御部を含む、請求項１〜５のいずれか１項に記載の電源回路。
【請求項７】
前記電子機器は、所定の情報をユーザに通知するための通知部を含み、
前記制御部は、前記第２電圧出力部の出力短絡時に前記第１電圧出力部からの前記第１電圧の出力を停止させた場合に、前記第１電圧出力部からの前記第１電圧の出力を停止させたことを前記通知部を介してユーザに通知する制御を行うように構成されている、請求項６に記載の電源回路。
【請求項８】
前記第１電圧出力部および前記第２電圧出力部は、電圧安定器を含む、請求項１〜７のいずれか１項に記載の電源回路。
【発明の詳細な説明】
【技術分野】
【０００１】
この発明は、電源回路に関し、特に、トランスを備えた電源回路に関する。
【背景技術】
【０００２】
従来、トランスを備えた電源回路が知られている（たとえば、特許文献１参照）。
【０００３】
上記特許文献１には、スイッチング部のスイッチングにより励起されるトランスと、トランスの２次側の電圧を所定の電圧に調整して出力するレギュレータとを備えるスイッチング電源装置（電源回路）が開示されている。このスイッチング電源装置には、トランスの２次側の電圧に応じた帰還電流をフィードバック出力するフォトカプラと、トランスの２次側の電圧が分圧されたものが参照電圧として入力されるシャントレギュレータとが設けられている。なお、フォトカプラは、シャントレギュレータのカソード側に接続されている。また、シャントレギュレータの参照電圧が入力される端子は、抵抗およびダイオードを介してレギュレータの出力側に接続されている。そして、トランスの２次側の電圧が変動した場合には、その電圧の変動に対応した電流がシャントレギュレータおよびシャントレギュレータのカソード側に接続されるフォトカプラに流れる。これにより、フォトカプラから制御部に帰還電流が出力されて、トランスの２次側の電圧が所定の電圧になるようにトランスの出力が制御される。
【０００４】
また、上記スイッチング電源装置には、トランスの２次側に過電流が流れている状態（過電流状態）を解消して回路全体を保護するための過電流保護回路が設けられている。この過電流保護回路は、トランスの２次側が過電流状態となっていることを検知した際に、スイッチング部のスイッチングを停止させる機能を有する。また、上記スイッチング電源装置では、トランスの２次側とレギュレータの入力側との間に、トランスの２次側の電圧が過度に大きい過電圧状態となった際に降伏することにより破壊（短絡故障）されて接地されるツェナーダイオードが設けられている。
【０００５】
上記スイッチング電源装置において、短絡発生時（たとえばレギュレータの出力側が短絡した時）には、レギュレータの出力側の電圧が略ゼロになり、レギュレータの出力側に接続されているシャントレギュレータの参照電圧が大きく低下する。この場合には、シャントレギュレータおよびフォトカプラに電流が流れなくなることによって、フォトカプラから制御部に帰還電流が出力されなくなるため、トランスの２次側の電圧を大幅に増加させる制御が行われる。そして、トランスの２次側の電圧が過度に大きくなることにより、トランスの２次側とレギュレータの入力側との間に設けられたツェナーダイオードが破壊（短絡故障）されて接地される。これにより、トランスから出力される電力は、レギュレータに供給されることなく、破壊（短絡故障）されたツェナーダイオードを介してグランドに流れる。その結果、レギュレータからの電圧の出力が停止されるので、レギュレータの出力側（スイッチング電源装置の出力側）に接続される負荷への電力供給が停止される。
【先行技術文献】
【特許文献】
【０００６】
【特許文献１】特開２００９−１３０９４８号公報
【発明の概要】
【発明が解決しようとする課題】
【０００７】
ここで、上記特許文献１に開示されたスイッチング電源装置（電源回路）では、トランスの２次側とレギュレータの入力側との間に設けられたツェナーダイオードが短絡発生時に短絡故障せずに開放故障する場合があると考えられる。この場合には、トランスから出力される電力がレギュレータに供給され続けるため、レギュレータからの電圧の出力が停止されないと考えられる。このため、短絡発生時にレギュレータの出力側（スイッチング電源装置の出力側）に接続される負荷への電力供給が停止されない場合がある。
【０００８】
この発明は、上記のような課題を解決するためになされたものであり、この発明の１つの目的は、短絡発生時に電源回路の出力側に接続される負荷への電力供給を確実に停止させることが可能な電源回路を提供することである。
【課題を解決するための手段】
【０００９】
上記目的を達成するために、この発明の一の局面による電源回路は、トランスと、トランスの２次側の電圧が入力され、第１電圧を出力する第１電圧出力部と、第１電圧出力部の出力側に直列に接続され、第２電圧を出力する第２電圧出力部と、第１電圧出力部から出力される第１電圧が第１しきい値以上の過電圧になったことに基づいて、第２電圧出力部の出力短絡時に第１電圧出力部からの第１電圧の出力を停止させる制御を行う制御部とを備える。
【００１０】
この発明の一の局面による電源回路では、上記のように構成することによって、短絡発生時（第２電圧出力部の出力短絡時）には、第１電圧出力部からの第１電圧の出力が制御部によって停止される。これにより、第１電圧出力部から第２電圧出力部への電力の供給が停止されるので、第２電圧出力部からの第２電圧の出力が停止される。その結果、短絡発生時に第２電圧出力部の出力側（電源回路の出力側）に接続される負荷への電力供給を確実に停止させることができる。
【００１１】
上記一の局面による電源回路において、好ましくは、第１電圧出力部は、第２電圧出力部の出力に接続されるフィードバック端子を含み、フィードバック端子を介して入力されるフィードバック電圧に基づいて第１電圧の出力を調整するように構成されており、制御部は、第２電圧出力部の出力短絡時にフィードバック端子を介して第１電圧出力部に入力されるフィードバック電圧が第２しきい値以下になることによって第１電圧出力部から出力される第１電圧が第１しきい値以上の過電圧になったことに基づいて、第１電圧出力部からの第１電圧の出力を停止させるように構成されている。このように構成すれば、短絡発生時（第２電圧出力部の出力短絡時）にフィードバック端子を介して第１電圧出力部に入力されるフィードバック電圧が第２しきい値以下になることによって第１電圧出力部から出力される第１電圧が第１しきい値以上の過電圧になった際には、第１電圧出力部からの第１電圧の出力が停止されるので、短絡発生時に第１電圧出力部から過電圧が出力されるのを容易に抑制することができる。
【００１２】
この場合、好ましくは、フィードバック端子は、第１電圧出力部の出力にも接続されており、第１電圧出力部は、第２電圧出力部の出力短絡時以外の通常時には、第１電圧出力部から出力される第１電圧に基づくフィードバック電圧に基づいて、第１電圧の出力を調整するように構成されている。このように構成すれば、短絡発生時（第２電圧出力部の出力短絡時）に第１電圧出力部から過電圧が出力されるのを容易に抑制することができるのに加えて、短絡発生時以外の通常時に第１電圧出力部からの第１電圧の出力を適切に調整することができる。
【００１３】
上記第１電圧出力部がフィードバック端子を含む電源回路において、好ましくは、第１電圧出力部のフィードバック端子と第２電圧出力部の出力との間に設けられるダイオードをさらに備え、ダイオードは、アノード側が第１電圧出力部のフィードバック端子に接続されているとともに、カソード側が第２電圧出力部の出力に接続されている。このように構成すれば、第２電圧出力部の出力から第１電圧出力部のフィードバック端子に電流が逆流するのをダイオードによって抑制することができる。
【００１４】
上記一の局面による電源回路において、好ましくは、制御部は、第２電圧出力部の出力短絡時に、所定の停止信号を第１電圧出力部に出力することにより、第１電圧出力部からの第１電圧の出力を停止させるように構成されている。このように構成すれば、短絡発生時（第２電圧出力部の出力短絡時）には、制御部から第１電圧出力部に所定の停止信号が出力されるので、短絡発生時に第１電圧出力部からの第１電圧の出力を容易に停止させることができる。
【００１５】
上記一の局面による電源回路において、好ましくは、制御部は、電源回路を有する電子機器の制御部を含む。このように構成すれば、短絡発生時に第１電圧出力部からの第１電圧の出力を停止させるための専用の制御部を別途設けることなく、電子機器に予め設けられた制御部を利用して、容易に、短絡発生時に第１電圧出力部からの第１電圧の出力を停止させることができる。
【００１６】
この場合、好ましくは、電子機器は、所定の情報をユーザに通知するための通知部を含み、制御部は、第２電圧出力部の出力短絡時に第１電圧出力部からの第１電圧の出力を停止させた場合に、第１電圧出力部からの第１電圧の出力を停止させたことを通知部を介してユーザに通知する制御を行うように構成されている。このように構成すれば、短絡発生時（第２電圧出力部の出力短絡時）に第１電圧出力部からの第１電圧の出力が停止された場合には、その旨が通知部を介してユーザに通知されるので、短絡という異常が発生したことをユーザに容易に認識させることができる。
【００１７】
上記一の局面による電源回路において、好ましくは、第１電圧出力部および第２電圧出力部は、電圧安定器を含む。このように構成すれば、電圧安定器により構成される第１電圧出力部および第２電圧出力部を備えた電源回路において、容易に、短絡発生時（第２電圧出力部の出力短絡時）に電源回路の出力側に接続される負荷への電力供給を確実に停止させることができる。
【発明の効果】
【００１８】
本発明によれば、上記のように、短絡発生時に電源回路の出力側に接続される負荷への電力供給を確実に停止させることができる。
【図面の簡単な説明】
【００１９】
【図１】本発明の一実施形態による電源回路の回路図である。
【図２】本発明の一実施形態による電源回路を含む電子機器の構成を示したブロック図である。
【図３】本発明の一実施形態の変形例による電源回路の回路図である。
【発明を実施するための形態】
【００２０】
以下、本発明の実施形態を図面に基づいて説明する。
【００２１】
図１および図２を参照して、本発明の一実施形態による電源回路１０の構成について説明する。
【００２２】
図１に示すように、電源回路１０は、トランス１と、トランス１の１次側に配置されたＩＣ２と、フィードバック回路３と、トランス１の２次側に配置された２つのレギュレータ４および５とを備えている。この電源回路１０は、たとえばＤＶＤレコーダなどの電子機器２０（図２参照）に用いられる。なお、レギュレータ４および５は、それぞれ、本発明の「第１電圧出力部」および「第２電圧出力部」の一例である。
【００２３】
トランス１は、１次側に配置された１次巻線１ａおよび補助巻線１ｂと、２次側に配置された２次巻線１ｃとを含むように構成されている。１次巻線１ａの一方端は、図示しないダイオードブリッジなどの整流回路を介して外部電源（交流電源）に接続されている。なお、１次巻線１ａの巻方向と補助巻線１ｂの巻方向とは、反対である。また、補助巻線１ｂの巻方向と２次巻線１ｃの巻方向とは、同じである。
【００２４】
ＩＣ２とトランス１の１次巻線１ａとの間には、ＦＥＴ（電界効果型トランジスタ）６が設けられている。ＩＣ２の端子２ａは、抵抗Ｒ１を介してＦＥＴ６のゲートＧに接続されている。また、ＦＥＴ６のドレインＤは、トランス１の１次巻線１ａの他方端に接続されている。また、ＦＥＴ６のソースＳは、センシングのための抵抗Ｒ２を介して接地されている。そして、ＩＣ２の発振によりＦＥＴ６がオンオフすることによって、トランス１の１次側（１次巻線１ａ）の電圧が変圧されて２次側（２次巻線１ｃ）に伝達されるように構成されている。
【００２５】
また、ＩＣ２は、トランス１の２次側（２次巻線１ｃ）からの電圧の出力を制御する機能を有するように構成されている。具体的には、ＩＣ２は、フィードバック回路３の後述するフォトカプラ３２からフィードバック出力される帰還電流に基づいて発振の周期を調整することにより、トランス１の２次側の電圧を調整する動作を行うように構成されている。なお、ＩＣ２の端子２ｃは、抵抗Ｒ２を介して接地されている。また、ＩＣ２の端子２ｄは、接地されている。
【００２６】
また、ＩＣ２とトランス１の補助巻線１ｂとの間には、トランス１の補助巻線１ｂから供給される電力を整流するダイオードＤ１と、ダイオードＤ１によって整流された電力を平滑化する電界コンデンサＣ１とが接続されている。ダイオードＤ１のアノード側は、トランス１の補助巻線１ｂの一方端に接続されているとともに、ダイオードＤ１のカソード側は、ＩＣ２の端子２ｄに接続されている。また、電解コンデンサＣ１の一方電極側は、ダイオードＤ１のカソード側に接続されているとともに、電界コンデンサＣ１の他方電極側は、接地されている。
【００２７】
フィードバック回路３は、トランス１の２次側の電圧（トランス１の２次巻線１ｃから出力される電圧）に応じた帰還電流をトランス１の１次側のＩＣ２にフィードバック出力するように構成されている。また、フィードバック回路３は、トランス１の２次側にカソード側が接続されるシャントレギュレータ３１と、シャントレギュレータ３１に接続され、トランス１の２次側の電圧に応じた帰還電流をＩＣ２に出力するフォトカプラ３２とを含む。シャントレギュレータ３１のカソード側は、抵抗Ｒ３およびＲ４を介してレギュレータ４の入力側に接続されている。また、シャントレギュレータ３１のカソード側は、フォトカプラ３２の端子３２ａに接続されている。また、シャントレギュレータ３１のカソード側と、シャントレギュレータ３１の参照電圧Ｖｒｅｆが入力される端子との間には、レギュレータ４および５から出力される電圧が共振するのを抑制する機能（位相補償機能）を有する抵抗Ｒ５およびコンデンサＣ３が設けられている。
【００２８】
また、シャントレギュレータ３１の参照電圧Ｖｒｅｆが入力される端子は、直列に接続された抵抗Ｒ６およびＲ７を介してレギュレータ４の入力側に接続されているとともに、抵抗Ｒ８を介して接地されている。具体的には、シャントレギュレータ３１の参照電圧Ｖｒｅｆが入力される端子は、直列に接続された抵抗Ｒ６、Ｒ７およびＲ８のうちの抵抗Ｒ７とＲ８との間に接続されている。これにより、シャントレギュレータ３１の参照電圧Ｖｒｅｆが入力される端子には、抵抗Ｒ６、Ｒ７およびＲ８より調整されるトランス１の２次側の電圧（２次巻線１ｃから出力される電圧）の分圧が入力される。
【００２９】
フォトカプラ３２の端子３２ｂは、抵抗Ｒ３を介してレギュレータ４の入力側に接続されている。また、フォトカプラ３２の端子３２ａは、シャントレギュレータ３１のカソード側およびアノード側を介して接地されている。これにより、トランス１の２次側の電流（２次巻線１ｃから出力される電流）は、抵抗Ｒ３、フォトカプラ３２の端子３２ｂ、３２ａ、および、シャントレギュレータ３１を経由してグランドに流れるように構成されている。そして、このようにフォトカプラ３２の端子３２ｂおよび３２ａを経由して電流が流れる場合に、フォトカプラ３２からＩＣ２に帰還電流が出力されるように構成されている。なお、フォトカプラ３２の端子３２ａと端子３２ｂとは、抵抗Ｒ４を介して接続されている。この抵抗Ｒ４は、フォトカプラ３２に暗電流（フォトカプラ３２を誤動作させる微弱な電流）が流れるのを抑制する機能を有する。また、フォトカプラ３２の端子３２ｃは、ＩＣ２の端子２ｅに接続されている。また、フォトカプラ３２の端子３２ｄは、接地されている。
【００３０】
レギュレータ４は、トランス１の２次巻線１ｃから入力される電圧（Ｖ１）を所定の第１電圧（Ｖ２）に変換してレギュレータ５に出力するように構成されている。また、レギュレータ５は、レギュレータ４から入力される第１電圧（Ｖ２）を所定の第２電圧（Ｖ３）に変換して電子機器２０（図２参照）の各部に出力するように構成されている。これら２つのレギュレータ４および５は、スイッチングレギュレータまたはリニアレギュレータなどの電圧安定器により構成されている。ここで、入力電圧（Ｖ１、Ｖ２）と出力電圧（Ｖ２、Ｖ３）との差が大きい場合には、レギュレータ４および５として、リニアレギュレータに比べて電力損失が小さいスイッチングレギュレータを用いるのが好ましい。また、入力電圧（Ｖ１、Ｖ２）と出力電圧（Ｖ２、Ｖ３）との差が小さい場合には、レギュレータ４および５として、スイッチングレギュレータに比べてノイズが発生しにくいリニアレギュレータを用いるのが好ましい。
【００３１】
なお、トランス１の２次巻線１ｃとレギュレータ４との間には、２次巻線１ｃから出力される電力を整流するダイオードＤ２と、ダイオードＤ２によって整流された電力を平滑化する電解コンデンサＣ２とが設けられている。ダイオードＤ２のアノード側は、トランス１の２次巻線１ｃの接地されていない一方端に接続されているとともに、ダイオードＤ２のカソード側は、レギュレータ４の入力側に接続されている。また、電解コンデンサＣ２の一方電極側は、ダイオードＤ２のカソード側に接続されているとともに、電解コンデンサＣ２の他方電極側は、接地されている。
【００３２】
ここで、本実施形態では、レギュレータ４は、フィードバック端子ＦＢを介して入力されるフィードバック電圧に基づいて第１電圧（Ｖ２）の出力を調整する機能（出力電圧調整機能）を有する。レギュレータ４のフィードバック端子ＦＢは、抵抗Ｒ９を介してレギュレータ４の出力（第１電圧（Ｖ２）が出力される端子）に接続されているとともに、抵抗Ｒ１０を介して接地されている。具体的には、レギュレータ４のフィードバック端子ＦＢは、直列に接続された抵抗Ｒ９とＲ１０との間に接続されている。これにより、後述するレギュレータ５の出力短絡時以外の通常時には、レギュレータ４のフィードバック端子ＦＢには、抵抗Ｒ９およびＲ１０により調整される第１電圧（Ｖ２）の分圧がフィードバック電圧として入力される。
【００３３】
また、レギュレータ４のフィードバック端子ＦＢは、抵抗Ｒ１１およびダイオードＤ３を介してレギュレータ５の出力（第２電圧（Ｖ３）が出力される端子）に接続されている。具体的には、ダイオードＤ３のアノード側が抵抗Ｒ１１を介してレギュレータ４のフィードバック端子ＦＢに接続されているとともに、ダイオードＤ３のカソード側がレギュレータ５の出力に接続されている。これにより、レギュレータ５の出力短絡時（レギュレータ５の出力に接続された図示しない負荷の電位が第２しきい値以下（略ゼロ）になった場合）には、レギュレータ４のフィードバック端子ＦＢの電位が略ゼロになる。その結果、レギュレータ４の上記出力電圧調整機能が働く（詳細は、後述する）ことによって、レギュレータ４から出力される第１電圧（Ｖ２）が上昇し続けて過電圧（第１しきい値以上の電圧）になる。
【００３４】
ここで、レギュレータ４の出力（第１電圧（Ｖ２）が出力される端子）には、電子機器２０（図２参照）全体の制御を行う制御部７（電子機器２０に予め設けられた制御部７）が接続されている。制御部７は、レギュレータ４から出力される第１電圧（Ｖ２）に基づいて、レギュレータ５の出力短絡時にレギュレータ４からの第１電圧（Ｖ２）の出力を停止させる制御を行うように構成されている。具体的には、制御部７は、レギュレータ４から出力される第１電圧（Ｖ２）が上記のように過電圧になったことを検出した場合に、レギュレータ４の駆動を停止させるための所定の停止信号をレギュレータ４のイネーブル端子ＥＮに出力するように構成されている。
【００３５】
なお、本実施形態では、制御部７は、ＤＶＤレコーダなどの電子機器２０（図２参照）が動作する際においてユーザに所定の情報を通知するための通知部８（たとえば表示部やＬＥＤなど）に接続されている。これにより、制御部７は、レギュレータ５の出力短絡時にレギュレータ４からの第１電圧（Ｖ２）の出力を停止させた場合に、レギュレータ４からの第１電圧（Ｖ２）の出力を停止させたこと（すなわち、レギュレータ５の出力短絡という異常が発生したこと）を通知部８を介してユーザに通知する制御を行うように構成されている。
【００３６】
次に、図１を参照して、本発明の一実施形態による電源回路１０のレギュレータ４の通常時および短絡発生時における動作について説明する。
【００３７】
（通常時）
たとえば、レギュレータ４から出力される第１電圧（Ｖ２）が降下したとする。このとき、レギュレータ４のフィードバック端子ＦＢに入力されるフィードバック電圧（第１電圧（Ｖ２）の分圧）も降下する。この場合には、レギュレータ４は、フィードバック電圧が降下したことに基づいて、第１電圧（Ｖ２）が降下したと判断し、第１電圧（Ｖ２）を大きくするように電圧の出力を調整する。これにより、第１電圧（Ｖ２）が上昇して、第１電圧（Ｖ２）が所定の電圧に保持される。
【００３８】
また、レギュレータ４から出力される第１電圧（Ｖ２）が上昇した場合には、レギュレータ４のフィードバック端子ＦＢに入力されるフィードバック電圧（第１電圧（Ｖ２）の分圧）も上昇する。この場合には、レギュレータ４は、フィードバック電圧が上昇したことに基づいて、第１電圧（Ｖ２）が上昇したと判断し、第１電圧（Ｖ２）を小さくするように電圧の出力を調整する。これにより、第１電圧（Ｖ２）が降下して、第１電圧（Ｖ２）が所定の電圧に保持される。
【００３９】
（短絡発生時）
短絡発生時（レギュレータ５の出力短絡時）には、レギュレータ５の出力（第２電圧（Ｖ３）が出力される端子）に接続された図示しない負荷の電位がゼロになるので、ダイオードＤ３および抵抗Ｒ１１を介してレギュレータ５の出力に接続されたレギュレータ４のフィードバック端子ＦＢの電位も略ゼロになる。これにより、レギュレータ４のフィードバック端子ＦＢに入力されるフィードバック電圧が大きく降下する。そして、レギュレータ４は、フィードバック電圧が降下したことに基づいて、第１電圧（Ｖ２）が降下したと判断し、第１電圧（Ｖ２）を大きくするように電圧の出力を調整する。
【００４０】
ここで、この短絡発生時においては、レギュレータ４のフィードバック端子ＦＢの電位が略ゼロの状態が続くので、レギュレータ４は、第１電圧（Ｖ２）を大きくする動作をし続ける。そして、第１電圧（Ｖ２）が上昇し続けて過電圧（第１しきい値以上の電圧）となる。そして、制御部７は、第１電圧（Ｖ２）が過電圧になったことを検出し、レギュレータ４の駆動を停止させるための所定の停止信号をレギュレータ４のイネーブル端子ＥＮに出力する。これにより、レギュレータ４の駆動が停止され、レギュレータ４からの第１電圧（Ｖ２）の出力が停止される。その結果、レギュレータ４に直列に接続されたレギュレータ５の駆動も停止され、レギュレータ５からの第２電圧（Ｖ３）の出力も停止される。このように、短絡発生時には、短絡箇所（レギュレータ５の出力に接続された負荷）への電源供給が停止される。
【００４１】
本実施形態では、上記のように、レギュレータ４から出力される第１電圧（Ｖ２）に基づいて、レギュレータ５の出力短絡時（短絡発生時）にレギュレータ４からの第１電圧（Ｖ２）の出力を停止させる制御を行う制御部７を接続する。これにより、短絡発生時には、レギュレータ４からの第１電圧（Ｖ２）の出力が制御部７によって停止される。その結果、レギュレータ４からレギュレータ５への電力の供給が停止されるので、レギュレータ５からの第２電圧（Ｖ３）の出力が停止される。これにより、短絡発生時にレギュレータ５の出力側（電源回路１０の出力側）に接続される負荷への電力供給を確実に停止させることができる。
【００４２】
また、本実施形態では、上記のように、レギュレータ５の出力短絡時（短絡発生時）にレギュレータ４から出力される第１電圧（Ｖ２）が過電圧になったことに基づいて、レギュレータ４からの第１電圧（Ｖ２）の出力を停止させるように制御部７を構成する。これにより、短絡発生時にレギュレータ４から出力される第１電圧（Ｖ２）が過電圧になった際には、レギュレータ４からの第１電圧（Ｖ２）の出力が停止されるので、短絡発生時にレギュレータ４から過電圧が出力されるのを容易に抑制することができる。
【００４３】
また、本実施形態では、上記のように、レギュレータ５の出力（第２電圧（Ｖ３）が出力される端子）に接続されるフィードバック端子ＦＢを介して入力されるフィードバック電圧に基づいて第１電圧（Ｖ２）の出力を調整するようにレギュレータ４を構成する。そして、レギュレータ５の出力短絡時（短絡発生時）にフィードバック端子ＦＢを介してレギュレータ４に入力されるフィードバック電圧が略ゼロになることによってレギュレータ４から出力される第１電圧（Ｖ２）が過電圧になったことに基づいて、レギュレータ４からの第１電圧（Ｖ２）の出力を停止させるように制御部７を構成する。これにより、短絡発生時にフィードバック端子ＦＢを介してレギュレータ４に入力されるフィードバック電圧が略ゼロになることによってレギュレータ４から出力される第１電圧（Ｖ２）が過電圧になった際には、レギュレータ４からの第１電圧（Ｖ２）の出力が停止されるので、短絡発生時にレギュレータ４から過電圧が出力されるのを容易に抑制することができる。
【００４４】
また、本実施形態では、上記のように、フィードバック端子ＦＢを、レギュレータ５の出力（第２電圧（Ｖ３）が出力される端子）のみならず、レギュレータ４の出力（第１電圧（Ｖ２）が出力される端子）にも接続する。そして、レギュレータ５の出力短絡時（短絡発生時）以外の通常時には、レギュレータ４から出力される第１電圧（Ｖ２）に基づくフィードバック電圧（抵抗Ｒ９およびＲ１０により調整される第１電圧（Ｖ２）の分圧）に基づいて、第１電圧（Ｖ２）の出力を調整するようにレギュレータ４を構成する。これにより、短絡発生時にレギュレータ４から過電圧が出力されるのを容易に抑制することができるのに加えて、短絡発生時以外の通常時にレギュレータ４からの第１電圧（Ｖ２）の出力を適切に調整することができる。
【００４５】
また、本実施形態では、上記のように、レギュレータ４のフィードバック端子ＦＢとレギュレータ５の出力（第２電圧（Ｖ３）が出力される端子）との間にダイオードＤ３を設け、ダイオードＤ３のアノード側をレギュレータ４のフィードバック端子ＦＢに接続するとともに、ダイオードＤ３のカソード側をレギュレータ５の出力に接続する。これにより、レギュレータ５の出力からレギュレータ４のフィードバック端子ＦＢに電流が逆流するのをダイオードＤ３によって抑制することができる。
【００４６】
また、本実施形態では、上記のように、レギュレータ５の出力短絡時（短絡発生時）に所定の停止信号をレギュレータ４に出力することにより、レギュレータ４からの第１電圧（Ｖ２）の出力を停止させるように制御部７を構成する。これにより、短絡発生時には、制御部７からレギュレータ４に所定の停止信号が出力されるので、短絡発生時にレギュレータ４からの第１電圧（Ｖ２）の出力を容易に停止させることができる。
【００４７】
また、本実施形態では、上記のように、制御部７を、電源回路１０を有する電子機器２０（たとえばＤＶＤレコーダなど）の制御部７とする。これにより、レギュレータ５の出力短絡時（短絡発生時）にレギュレータ４からの第１電圧（Ｖ２）の出力を停止させるための専用の制御部７を別途設けることなく、電子機器２０に予め設けられた制御部７を利用して、容易に、短絡発生時にレギュレータ４からの第１電圧（Ｖ２）の出力を停止させることができる。
【００４８】
また、本実施形態では、上記のように、レギュレータ５の出力短絡時（短絡発生時）にレギュレータ４からの第１電圧（Ｖ２）の出力が停止された場合に、レギュレータ４からの第１電圧（Ｖ２）の出力が停止されたことを電子機器２０の通知部８（たとえば表示部やＬＥＤなど）を介してユーザに通知する制御を行うように制御部７を構成する。これにより、短絡発生時にレギュレータ４からの第１電圧（Ｖ２）の出力が制御部７によって停止された場合には、その旨が通知部８を介してユーザに通知されるので、短絡という異常が発生したことをユーザに容易に認識させることができる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記実施形態では、トランス１の２次側に２つのレギュレータ４および５を直列に接続する例を示したが、本発明はこれに限らない。本発明では、図３に示す変形例のように、トランス１の２次側に３つのレギュレータ４、５および９を直列に接続してもよい。
【００５１】
図３に示す変形例による電源回路１１では、トランス１の２次側（２次巻線１ｃ）から電圧（Ｖ１）が入力され、第１電圧（Ｖ２）を出力するレギュレータ４と、レギュレータ４から第１電圧（Ｖ２）が入力され、所定の電圧（Ｖ４）を出力するレギュレータ９と、レギュレータ９から所定の電圧（Ｖ４）が入力され、第２電圧（Ｖ３）を出力するレギュレータ５とが、トランス１の２次側に直列に接続されている。このように３つのレギュレータ４、５および９を直列に設けることによって、２つだけのレギュレータ４および５を直列に設ける場合（上記実施形態の場合）に比べて、各レギュレータ４、５および９の入力と出力との間の電位差を小さくすることができるので、電力損失を小さくすることができる。
【００５２】
なお、本発明では、トランス１の２次側に４つ以上のレギュレータを直列に接続してもよい。この場合、制御部は、直列に接続された４つ以上のレギュレータのうち、最もトランス１の近くに配置されたレギュレータ（第１電圧出力部）に接続される。これにより、直列に接続された４つ以上のレギュレータのうち、最もトランス１から離れて配置されたレギュレータ（第２電圧出力部）の出力短絡時には、最もトランス１の近くに配置されたレギュレータ（第１電圧出力部）からの電圧の出力が制御部によって停止される。
【００５３】
また、上記実施形態では、本発明の第１電圧出力部および第２電圧出力部として、レギュレータ（電圧安定器）を用いる例を示したが、本発明はこれに限らない。本発明では、第１電圧出力部および第２電圧出力部として、レギュレータ（電圧安定器）以外の回路を用いてもよい。
【００５４】
また、上記実施形態では、レギュレータ４（第１電圧出力部）がフィードバック端子ＦＢを有する一方、レギュレータ５（第２電圧出力部）がフィードバック端子を有しない例を示したが、本発明はこれに限らない。本発明では、第１電圧出力部および第２電圧出力部の両方がフィードバック端子を有するレギュレータであってもよい。
【００５５】
また、上記実施形態では、電子機器２０に予め設けられた制御部７を、短絡発生時にレギュレータ４からの第１電圧（Ｖ２）の出力を停止させるために用いる例を示したが、本発明はこれに限らない。本発明では、短絡発生時にレギュレータ４からの第１電圧（Ｖ２）の出力を停止させるための専用の制御部を、電子機器２０に予め設けられた制御部とは別個に設けてもよい。
【符号の説明】
【００５６】
１  トランス
４  レギュレータ（第１電圧出力部、電圧安定器）
５  レギュレータ（第２電圧出力部、電圧安定器）
７  制御部
８  通知部
１０  電源回路
２０  電子機器
Ｄ３  ダイオード
ＦＢ  フィードバック端子
【図１】
2014003776.tif 000003
【図２】
2014003776.tif 000004
【図３】
2014003776.tif 000005